(57)【特許請求の範囲】
【請求項１】
胴部の上端からノズル10を起立する容器体１と、容器体胴部外面一部へ嵌着させた主部24の左右両端から、揺動可能に引張スプリング部26、26を上方突出させてこれ等先端をシール部27の左右へ連結させ、かつ該シール部27で上記ノズル上端のノズル孔10a を開閉自在に閉塞するシール用部材21とからなり、
上記両スプリング部26、26の弾性に抗してシール部27を引き上げることでノズル孔10a が開孔可能とすると共に、該シール部27をノズル10前後いずれかの側方へ移動させることが可能に形成した液体噴出容器において、
上記スプリング部26を、前後上方向へ屈曲する蛇行状太線25で形成したことを特徴とする液体注出容器。
【請求項２】
上記容器体胴部を、弾性圧搾可能で前後方向巾が狭く、かつ左右方向巾が広い薄箱状に形成すると共に、シール用部材21の主部24を、胴部の底壁および左右側壁外面へ当接させた覆合壁部22の前後側縁から、上記胴部前後両壁２、２の外周部へ係合するフランジ23、23を突出させて形成したことを特徴とする請求項１記載の液体注出容器。
【請求項３】
上記ノズルの下部外面へ第１離脱手段11を付設し、又上記シール部27をスプリング部と左右両端を連結した横板28下面から周壁29を垂下するキャップ状部で形成して、該キャップ状部の周壁29下面に第２離脱手段31を設け、上記第１離脱手段11と、第２離脱手段31との少くとも一方に傾斜面を設けて、ノズル10を中心としてキャップ状部を回動させることで、第１又は第２離脱手段が傾斜面に接し摺動することでキャップ状部がノズル10に対して上昇し、該上昇によりノズル外面とキャップ状部の周壁29内面とに設けて互いに係合する第１、第２係合突条８、32が離脱可能に形成したことを特徴とする、請求項１又は請求項２記載の液体注出容器。
【発明の詳細な説明】
【０００１】
【発明の属する技術分野】
本発明は、液体注出容器、例えば目薬容器に関する。
【０００２】
【従来の技術】
例えば目薬容器は、弾性圧搾可能に設けた胴部上端からノズルを起立する容器体と、上記ノズル外面へ嵌合させるキャップとで形成されている。
【０００３】
【発明が解決しようとする課題】
上記容器はキャップを外し、容器体を手に持ち倒立させ、かつ胴部を圧搾することでノズルから薬液を滴下させるが、そのキャップが邪魔となるため適所にキャップを置くと、そのキャップが小形化している場合は特に倒れて転がり易く、するとキャップが汚れ、又該汚れが容器体のノズルに付着する等して衛生上好ましくない。
【０００４】
本発明は、容器体にシール用部材を付設し、該シール用部材の一部を、キャップ機能を有するシール部として該シール部によりノズルを開閉可能としたものである。
【０００５】
【課題を解決するための手段】
第１の手段として、胴部の上端からノズル10を起立する容器体１と、容器体胴部外面一部へ嵌着させた主部24の左右両端から、揺動可能に引張スプリング部26、26を上方突出させてこれ等先端をシール部27の左右へ連結させ、かつ該シール部27で上記ノズル上端のノズル孔10a を開閉自在に閉塞するシール用部材21とからなり、
上記両スプリング部26、26の弾性に抗してシール部27を引き上げることでノズル孔10a が開孔可能とすると共に、該シール部27をノズル10前後いずれかの側方へ移動させることが可能に形成した液体噴出容器において、
上記スプリング部26を、前後上方向へ屈曲する蛇行状太線25で形成した。
【０００６】
第２の手段として上記第１の手段を有すると共に、上記容器体胴部を、弾性圧搾可能で前後方向巾が狭く、かつ左右方向巾が広い薄箱状に形成すると共に、シール用部材21の主部24を、胴部の底壁および左右側壁外面へ当接させた覆合壁部22の前後側縁から、上記胴部前後両壁２、２の外周部へ係合するフランジ23、23を突出させて形成した。
【０００８】
第３の手段として上記第１の手段又は第２の手段を有すると共に、上記ノズルの下部外面へ第１離脱手段11を付設し、又上記シール部27をスプリング部と左右両端を連結した横板28下面から周壁29を垂下するキャップ状部で形成して、該キャップ状部の周壁29下面に第２離脱手段31を設け、上記第１離脱手段11と、第２離脱手段31との少くとも一方に傾斜面を設けて、ノズル10を中心としてキャップ状部を回動させることで、第１又は第２離脱手段が傾斜面に接し摺動することでキャップ状部がノズル10に対して上昇し、該上昇によりノズル外面とキャップ状部の周壁29内面とに設けて互いに係合する第１、第２係合突条８、32が離脱可能に形成した。
【０００９】
【発明の実施の形態】
以下目薬容器を例にとって説明すると、１は容器体で、胴部の前後両壁２、２を垂直壁とし、かつ底壁および左右側壁を下方へ張出す連続弯曲壁とし、又胴部上面は、上記弯曲壁上端から上内方へ傾斜するテーパ面３、３とし、該テーパ面上端から更に上内方へのゆるやかな弯曲面４、４で形成し、これ等弯曲面上端から短筒部５および内向きフランジ状壁６を介して口頸部７を起立し、該口頸部の上部外面に第１係合突条８を周設している。又その口頸部内からは点滴筒９を起立してこれ等口頸部と点滴筒とがノズル10を形成する。又上記内向きフランジ状壁６の前後両部上面からは口頸部下方の前後両面へ付設させて左右を傾斜面とする山形突部状の第１離脱手段11、11を起立している。尚上記前後両壁２、２は弾性圧搾可能に形成する。
【００１０】
上記容器体１へは、シール用部材21を嵌合させる。該シール用部材は、上記容器体胴部の下半、つまり底壁および左右両側壁を形成する連続弯曲壁上端よりも下方の連続弯曲壁部分外面を覆う弯曲帯状の覆合壁部22の前後両側縁にフランジ23を付設して、それ等フランジを容器体の前後両壁外周部へ係合させた主部24を有し、その主部の左右上端からその主部の前後方向巾で前後上方向へ蛇行する蛇行太線25、25で形成したスプリング部26、26を揺動可能に上方へ突出させ、それ等上端をシール部27の左右両端へ連結させている。該シール部は図示例において横板28と該横板下面から垂下する周壁29と該周壁中心上方の栓30とで形成しており、横板28の左右両端に蛇行太線25上端を連結し、周壁29を口頸部７外面へ嵌合させ、栓30でノズル孔10a を密閉可能としている。又周壁29の下端内面には内面および下面開口の凹部を周設し、かつ該凹部の前後に既述山形突部状の第１離脱手段に対応する逆山形突部状の第２離脱手段31、31を、その凹部上面から垂下させている。更に周壁29内面には既述第１係合突条８下面へ係合させる第２係合突条32を周設させている。
【００１１】
上記容器本体およびシール用部材は合成樹脂製としている。
【００１２】
上記構成において、図３、図４が示すノズル孔閉塞状態からシール部27をノズルを中心に回すと、山形突部状の第１離脱手段11上へ逆山形突部状の第２離脱手段31が乗上げすることで第１、第２係合突条８、32の係合が外れるから、そのままシール部27を引き上げすることでノズル孔10a を開口できる。該状態からシール部をノズル10の前後いずれかの側方へ移動させ、該状態から容器体を倒立させ、前後両壁２、２圧搾によって収納液体を滴下させることが出来、使用後は再びシール部27を引き上げノズル孔10a を密閉すればよい。
【００１３】
尚既述実施形態は、本発明の目的を損なわない範囲で種々変更することが可能であり、例えばシール用部材の主部24は容器体胴部を縦長筒状としてその外面一部へ嵌合させた筒状でもよく、シール部27は公知の口蓋状、キャップ状、あるいは栓だけでもよく、更に第２離脱手段31は第１離脱手段嵌合用の凹部で形成することも可能である。この場合は凹部下端縁が第１離脱手段の斜面に接し上昇することでシール部27が上昇することとなる。
【００１４】
【発明の効果】
本発明は既述構成とするもので、請求項１記載のようにすることで、シール部27は両スプリング部26の弾性に抗して引き上げない限りノズル孔は開孔不能であるから、人為的に外さない限り該シール部がノズル孔10a から外れることはなく、該シール部27はノズル前後の側方へ移動できるから、該シール部が液体注出の邪魔となることもない。
【００１５】
また請求項１のようにすることで、スプリング機能を高め、しかも容器外見を向上させることが出来る。
【００１６】
請求項２のようにすることで、主部24が容器体胴部から外れることなく、しかも容器体胴部へ大きく設けた前後両壁を、胴部圧搾用壁部とすることが出来る。
【００１７】
請求項３のようにすることで、容器体口頸部からのシール部27の取り外しが容易となる。

【図面の簡単な説明】
【図１】  ノズル開孔状態で示す、本発明容器の斜視図である。
【図２】  ノズル閉塞状態で示す、容器の斜視図である。
【図３】  図２要部の拡大断面図である。
【図４】  シール部取り外し方法の説明図である。
【符号の説明】
１…容器体                    ２…前後両壁
10…ノズル                    11…第１離脱手段
21…シール用部材              24…主部
26…スプリング部              27…シール部
31…第２離脱手段
【図１】
0004392739.tif 000002
【図２】
0004392739.tif 000003
【図３】
0004392739.tif 000004
【図４】
0004392739.tif 000005